(57)【特許請求の範囲】
【請求項１】
所定の指示情報を記載するための使い切りの帳票と、
前記指示情報を記憶するためのＩＣモジュール部材と、
前記帳票の所定位置に前記ＩＣモジュール部材を取り付けるための取付け手段とを備え、
前記取付け手段は、前記ＩＣモジュール部材を再使用可能な状態で前記帳票から取り外すために、前記ＩＣモジュール部材を前記帳票に対して取外し自在に取り付け、
前記取付け手段は前記帳票に対して周辺が部分的に接着された板状部材を有し、該板状部材と前記帳票との間の空間に前記ＩＣモジュール部材が収容され、前記板状部材には前記収容されたＩＣモジュール部材の外形の一部に対応する形状に沿って切断用ミシン目が形成されていることを特徴とするＩＣモジュール部材付き帳票。
【請求項２】
所定の指示情報を記載するための使い切りの帳票と、
前記指示情報を記憶するためのＩＣモジュール部材と、
前記帳票の所定位置に前記ＩＣモジュール部材を取り付けるための取付け手段とを備え、
前記取付け手段は、前記ＩＣモジュール部材を再使用可能な状態で前記帳票から取り外すために、前記ＩＣモジュール部材を前記帳票に対して取外し自在に取り付け、
前記取付け手段は、再剥離可能な第１接着剤が塗布された第１領域と前記第１接着剤よりも実質的に弱い接着力を有する再剥離可能な第２接着剤が塗布された第２領域とを有する板状部材を有し、該板状部材の前記第２領域の一部には前記ＩＣモジュール部材が接着され、前記板状部材の前記第２領域の残部および前記板状部材の前記第１領域は前記帳票に接着されていることを特徴とするＩＣモジュール部材付き帳票。
【請求項３】
所定の指示情報を記載するための使い切りの帳票と、
前記指示情報を記憶するためのＩＣモジュール部材と、
前記帳票の所定位置に前記ＩＣモジュール部材を取り付けるための取付け手段とを備え、
前記取付け手段は、前記ＩＣモジュール部材を再使用可能な状態で前記帳票から取り外すために、前記ＩＣモジュール部材を前記帳票に対して取外し自在に取り付け、
前記取付け手段は前記帳票に対して第１領域が接着された板状部材を有し、該板状部材の前記第１領域を除く第２領域には再剥離可能な接着剤が塗布され、前記板状部材の前記第２領域の一部には前記ＩＣモジュール部材が接着され、前記板状部材の前記第２領域の残部は前記帳票に接着され、前記帳票には前記取付け手段および前記ＩＣモジュール部材を前記帳票の一部とともに前記帳票の残部から切り離すための切断用ミシン目が形成されていることを特徴とするＩＣモジュール部材付き帳票。
【請求項４】
前記ＩＣモジュール部材は、情報記憶部を有するＩＣモジュールと、該ＩＣモジュールに接続されて非接触方式の送受信を行うためのアンテナと、前記ＩＣモジュールおよび前記アンテナを挟み込むための一対の矩形状基板とを備えていることを特徴とする請求項１乃至３のいずれか１項に記載のＩＣモジュール部材付き帳票。
【請求項５】
前記帳票の一方の面には、前記指示情報を印字するための印字領域が形成され、
前記ＩＣモジュール部材は、前記印字領域から実質的に間隔を隔てた領域に取り付けられていることを特徴とする請求項１乃至４のいずれか１項に記載のＩＣモジュール部材付き帳票。
【請求項６】
前記ＩＣモジュール部材は、前記帳票の他方の面に取り付けられていることを特徴とする請求項５に記載のＩＣモジュール部材付き帳票。
【請求項７】
前記収容されたＩＣモジュール部材に対面する前記板状部材の対面領域には、前記収容されたＩＣモジュール部材を前記板状部材に接着させるための感圧性接着剤が塗布されていることを特徴とする請求項１、および請求項４乃至６のいずれか１項に記載のＩＣモジュール部材付き帳票。
【請求項８】
前記感圧性接着剤は再剥離可能な接着剤であることを特徴とする請求項７に記載のＩＣモジュール部材付き帳票。
【請求項９】
前記板状部材の前記第２領域には、前記ＩＣモジュール部材の取付けに先立って取り除くべき剥離紙が設けられていることを特徴とする請求項３乃至６のいずれか１項に記載のＩＣモジュール部材付き帳票。
【請求項１０】
請求項１乃至９のいずれか１項に記載のＩＣモジュール部材付き帳票を使い切った時点において前記ＩＣモジュール部材を再使用可能な状態で前記帳票から取り外し、
前記帳票から取り外した前記ＩＣモジュール部材に記憶された情報を必要に応じて消去し、
前記情報を必要に応じて消去したＩＣモジュール部材と新たな帳票とを用いて請求項１乃至９のいずれか１項に記載のＩＣモジュール部材付き帳票を新たに形成することを特徴とするリサイクル方法。
【発明の詳細な説明】
【０００１】
【発明の属する技術分野】
本発明は、リサイクル可能なＩＣモジュール部材付き帳票および該帳票を用いたリサイクル方法に関するものである。
【０００２】
【従来の技術】
たとえば工場において、作業指示書や工程管理カードとして、使い切りの帳票が使用されている。この種の帳票は、その片面に一連の作業に関する指示情報が記載され、製造すべき製品とともに製造ラインに沿って搬送される。各製造工程では、この帳票に記載された指示情報にしたがって作業が行われる。
【０００３】
【発明が解決しようとする課題】
ところで、工場の自動化に伴い、各作業者が一連の作業に関する指示情報を帳票から目視で読み取るとともに、所定の処理装置が指示情報を帳票から自動的に読み取ることが必要となる。そこで、これらの指示情報を記憶するための手段として、たとえば磁気ストライプや非接触型ＩＣモジュールを帳票に取り付けることが考えられる。
【０００４】
特に、非接触型ＩＣモジュールを用いる場合、その記憶容量が磁気ストライプよりもはるかに大きいので、指示すべき作業情報が複雑化しても十分に対応可能であるという利点がある。しかしながら、非接触型ＩＣモジュールは磁気ストライプよりもかなり高価であり、使い切りの帳票とともに非接触型ＩＣモジュールも使い切るような形態では採算に合わない場合がある。
【０００５】
本発明は、前述の課題に鑑みてなされたものであり、帳票を使い切った時点において取り付けられていたＩＣモジュール部材を再使用可能な状態で取り外して新たな帳票の形成のためにリサイクル使用（再利用）することのできる、ＩＣモジュール部材付き帳票および該帳票を用いたリサイクル方法を提供することを目的とする。
【０００６】
【課題を解決するための手段】
前記課題を解決するために、第１発明では、所定の指示情報を記載するための使い切りの帳票と、
前記指示情報を記憶するためのＩＣモジュール部材と、
前記帳票の所定位置に前記ＩＣモジュール部材を取り付けるための取付け手段とを備え、
前記取付け手段は、前記ＩＣモジュール部材を再使用可能な状態で前記帳票から取り外すために、前記ＩＣモジュール部材を前記帳票に対して取外し自在に取り付け、
前記取付け手段は前記帳票に対して周辺が部分的に接着された板状部材を有し、該板状部材と前記帳票との間の空間に前記ＩＣモジュール部材が収容され、前記板状部材には前記収容されたＩＣモジュール部材の外形の一部に対応する形状に沿って切断用ミシン目が形成されていることを特徴とするＩＣモジュール部材付き帳票を提供する。
第２発明では、所定の指示情報を記載するための使い切りの帳票と、
前記指示情報を記憶するためのＩＣモジュール部材と、
前記帳票の所定位置に前記ＩＣモジュール部材を取り付けるための取付け手段とを備え、
前記取付け手段は、前記ＩＣモジュール部材を再使用可能な状態で前記帳票から取り外すために、前記ＩＣモジュール部材を前記帳票に対して取外し自在に取り付け、
前記取付け手段は、再剥離可能な第１接着剤が塗布された第１領域と前記第１接着剤よりも実質的に弱い接着力を有する再剥離可能な第２接着剤が塗布された第２領域とを有する板状部材を有し、該板状部材の前記第２領域の一部には前記ＩＣモジュール部材が接着され、前記板状部材の前記第２領域の残部および前記板状部材の前記第１領域は前記帳票に接着されていることを特徴とするＩＣモジュール部材付き帳票を提供する。
第３発明では、所定の指示情報を記載するための使い切りの帳票と、
前記指示情報を記憶するためのＩＣモジュール部材と、
前記帳票の所定位置に前記ＩＣモジュール部材を取り付けるための取付け手段とを備え、
前記取付け手段は、前記ＩＣモジュール部材を再使用可能な状態で前記帳票から取り外すために、前記ＩＣモジュール部材を前記帳票に対して取外し自在に取り付け、
前記取付け手段は前記帳票に対して第１領域が接着された板状部材を有し、該板状部材の前記第１領域を除く第２領域には再剥離可能な接着剤が塗布され、前記板状部材の前記第２領域の一部には前記ＩＣモジュール部材が接着され、前記板状部材の前記第２領域の残部は前記帳票に接着され、前記帳票には前記取付け手段および前記ＩＣモジュール部材を前記帳票の一部とともに前記帳票の残部から切り離すための切断用ミシン目が形成されていることを特徴とするＩＣモジュール部材付き帳票を提供する。
【０００７】
第１発明乃至第３発明の好ましい態様によれば、前記ＩＣモジュール部材は、情報記憶部を有するＩＣモジュールと、該ＩＣモジュールに接続されて非接触方式の送受信を行うためのアンテナと、前記ＩＣモジュールおよび前記アンテナを挟み込むための一対の矩形状基板とを備えていることが好ましい。また、前記帳票の一方の面には、前記指示情報を印字するための印字領域が形成され、前記ＩＣモジュール部材は、前記印字領域から実質的に間隔を隔てた領域に取り付けられていることが好ましい。この場合、前記ＩＣモジュール部材は、前記帳票の他方の面に取り付けられていることが好ましい。ここで、ＩＣモジュール部材を印字領域から実質的に間隔を隔てた領域に取り付けるのは、ＩＣモジュール部材が破損しないように、プリンタヘッドにダメージを与えないように、また良好な印字を行うようにする等の理由のためである。
【０００８】
また、第１発明の好ましい態様によれば、前記収容されたＩＣモジュール部材に対面する前記板状部材の対面領域には、前記収容されたＩＣモジュール部材を前記板状部材に接着させるための感圧性接着剤が塗布されていることが好ましい。またこの場合、前記感圧性接着剤は再剥離可能な接着剤であることが好ましい。
【００１０】
また、第３発明の好ましい態様によれば、前記板状部材の前記第２領域には、前記ＩＣモジュール部材の取付けに先立って取り除くべき剥離紙が設けられていることが好ましい。
【００１１】
また、本発明の別の局面によれば、本発明のＩＣモジュール部材付き帳票を使い切った時点において前記ＩＣモジュール部材を再使用可能な状態で前記帳票から取り外し、
前記帳票から取り外した前記ＩＣモジュール部材に記憶された情報を必要に応じて消去し、
前記情報を必要に応じて消去したＩＣモジュール部材と新たな帳票とを用いて本発明のＩＣモジュール部材付き帳票を新たに形成することを特徴とするリサイクル方法を提供する。
【００１２】
【発明の実施の形態】
本発明では、使い切りの帳票の所定位置に、所定の取付け手段により、ＩＣモジュール部材を取り付けている。そして、ＩＣモジュール部材は、再使用可能な状態で帳票から取り外すことができるように、帳票に対して取外し自在に取り付けられている。ここで、使い切りの帳票は、たとえば工場における作業指示書や工程管理カードであって、その片面に一連の作業に関する指示情報が印字されている。また、ＩＣモジュール部材は、たとえばＩＣモジュールとアンテナとを一対の矩形状基板で挟み込むことによって形成された非接触型のＩＣモジュール部材であって、その記憶部（メモリ）には指示情報が記憶される。
【００１３】
なお、具体的な一態様によれば、取付け手段は帳票に対して周辺が部分的に接着された板状部材から構成されている。したがって、板状部材と帳票との間の接着されていない周辺側からＩＣモジュール部材を挿入することにより、板状部材と帳票との間の空間にＩＣモジュール部材を収容することができる。なお、板状部材には、収容されたＩＣモジュール部材の外形の一部に対応する形状に沿って切断用ミシン目が形成されている。したがって、帳票を使い切った時点において、この切断用ミシン目に沿って板状部材を破断させることにより、収容されていたＩＣモジュール部材を再使用可能な状態で帳票から取り外すことができる。
【００１４】
本発明では、帳票から再使用可能な状態で取り外したＩＣモジュール部材に記憶された情報を必要に応じて消去する。そして、情報を必要に応じて消去したＩＣモジュール部材と新たな帳票とを用いて、上述した構成を有するＩＣモジュール部材付き帳票を新たに形成する。
【００１５】
以上のように、本発明では、帳票を使い切った時点において取り付けられていたＩＣモジュール部材を再使用可能な状態で取り外して新たな帳票の形成のためにリサイクル使用することができる。その結果、たとえば工場における作業指示書や工程管理カードに本発明を適用すると、指示すべき作業情報が複雑化しても採算の合った十分な対応をすることができる。
【００１６】
本発明の実施形態を、添付図面に基づいて説明する。
図１は、本発明の第１実施形態にかかるＩＣモジュール部材付き帳票の構成を概略的に示す図である。なお、第１実施形態を含む各実施形態では、工場における作業指示書や工程管理カードに本発明を適用している。
図１に示すように、本実施形態のＩＣモジュール部材付き帳票は、作業指示書や工程管理カードを構成する矩形状の帳票１を備えている。帳票１の一方の面すなわち表面１ａには、一連の作業に関する指示情報をそれぞれ印字するための多数の印字欄（不図示）がプレ印刷されており、各印字欄には所定の指示情報がコンピュータ出力としてプリンタにより印字される。
【００１７】
一方、帳票１の他方の面すなわち裏面１ｂには、取付け手段としての矩形状の板状部材２が接着されている。具体的には、板状部材２の長手方向に沿った両側領域２ａおよび２ｂと短手方向に沿った片側領域２ｃとが、所定の接着剤を介して帳票１の裏面１ｂに接着されている。なお、帳票１の表面１ａへの印字に際してプリンタヘッドが板状部材２に対応する領域を、ひいてはそこに収容されるＩＣモジュール部材３に対応する領域を通過することがないように、板状部材２の接着位置は印字領域（すなわちプレ印刷された印字欄の形成位置）から実質的に間隔を隔てて位置決めされている。また、板状部材２は、たとえば紙のような使用条件に合った適当な材料によって形成されている。
【００１８】
一方、ＩＣモジュール部材３は、図２に示すように、情報記憶部を有するＩＣモジュール（ＩＣチップ）３ａと、ＩＣモジュール３ａに接続されて非接触方式の送受信（すなわち通信）を行うためのアンテナ３ｂとを備えている。そして、ＩＣモジュール３ａおよびアンテナ３ｂは、一対の矩形状の基板３ｃと３ｄとの間に挟まれるように保持されている。このように、ＩＣモジュール部材３は、一般に知られた非接触型のＩＣカードやＩＣラベルなどと同様の構成を有するが、全体的に細長い短冊状に形成されている点だけが基本的に相違している。したがって、ＩＣモジュール部材３のさらに詳細な構成に関する説明は省略する。
【００１９】
図１（ａ）に示すように、ＩＣモジュール部材３は、帳票１と板状部材２との間の空間に収容される。すなわち、板状部材２の周辺の一部である３つの接着領域２ａ、２ｂおよび２ｃを介して板状部材２が帳票１に接着されているので、板状部材２と帳票１との間の接着されていない周辺側からＩＣモジュール部材３を挿入することにより、板状部材２と帳票１との間の空間にＩＣモジュール部材３を収容することができる。この場合、図１（ｂ）に示すように、３つの接着領域２ａ、２ｂおよび２ｃによって規定される収容空間２ｄの形状をＩＣモジュール部材３の外形形状よりもわずかに大きく設定することにより、一旦収容されたＩＣモジュール部材３が収容空間２ｄから外部へこぼれ落ちるのを回避することができる。
【００２０】
なお、板状部材２には、収容されたＩＣモジュール部材３の外形の一部に対応する形状に沿って一対の切断用ミシン目２ｅおよび２ｆが形成されている。具体的には、収容されたＩＣモジュール部材３の長手方向の両辺３ｅおよび３ｆに対応するように、一対の切断用ミシン目２ｅおよび２ｆが互いに平行に形成されている。また、板状部材２の接着されていない周辺側すなわちＩＣモジュール部材３を挿入する側には、外側へ突出した把持部２ｇが設けられている。
【００２１】
こうして、本実施形態のＩＣモジュール部材付き帳票が形成される。上述したように、形成されたＩＣモジュール部材付き帳票の表面１ａには一連の作業に関する指示情報がコンピュータ出力として印字されるとともに、コンピュータに接続されたリーダー・ライターを介して指示情報がＩＣモジュール部材３に非接触方式で書き込まれる。このとき、ＩＣモジュール部材３に指示情報が正しく書き込まれて記憶されたことを確認するために、ＩＣモジュール部材３に書き込まれた情報を読み出すことが好ましい。指示情報が正しく書き込まれたＩＣモジュール部材付き帳票は、製造すべき製品とともに製造ラインに沿って搬送され、各製造工程では各作業者が帳票１の表面から目視で指示情報を読み取るとともに、所定の処理装置がＩＣモジュール部材３からリーダー・ライターを介して自動的に指示情報を読み取り、読み取った指示情報にしたがって作業が行われる。
【００２２】
こうして、一連の作業が終了すると、ＩＣモジュール部材付き帳票が使い切られることになる。本実施形態では、図１（ｃ）に示すように、帳票１を使い切った時点において、板状部材２の把持部２ｇを指でつまんで接着領域２ｃに向かって引くことにより、切断用ミシン目２ｅおよび２ｆに沿って板状部材２を破断させる。その結果、板状部材２と帳票１との間の収容空間２ｄに収容されていたＩＣモジュール部材３を再使用可能な状態で帳票１から容易に取り外すことができる。
【００２３】
本実施形態では、帳票１から再使用可能な状態で取り外したＩＣモジュール部材３に記憶された指示情報を必要に応じて消去する。そして、指示情報がクリアされて更新されたＩＣモジュール部材３と新たな帳票とを用いて、上述した構成を有するＩＣモジュール部材付き帳票を新たに形成する。
以上のように、本実施形態では、帳票１を使い切った時点において取り付けられていたＩＣモジュール部材３を再使用可能な状態で取り外して新たな帳票の形成のためにリサイクル使用することができる。
【００２４】
なお、上述の実施形態では、板状部材２と帳票１との間の収容空間２ｄにＩＣモジュール部材３を収容しているが、一旦収容されたＩＣモジュール部材３が収容空間２ｄから外部へこぼれ落ちるのを確実に回避するために、板状部材２とＩＣモジュール部材３とを感圧性接着剤によって接着する変形例も可能である。この変形例では、収容空間２ｄに収容されたＩＣモジュール部材３に対面する板状部材２の対面領域に感圧性接着剤が塗布されている。
【００２５】
したがって、収容空間２ｄにＩＣモジュール部材３を収容した時点において、板状部材２の対面領域に対応する領域を指で押すことにより、ＩＣモジュール部材３を板状部材２に接着させることができ、結果としてＩＣモジュール部材３が外部へこぼれ落ちるのを確実に回避することができる。この場合、板状部材２の把持部２ｇを指でつまんで板状部材２を破断させると、破断された板状部材２に接着された状態でＩＣモジュール部材３を回収することができる。なお、感圧性接着剤は、たとえばカプセルまたは不純物を利用した接着剤である。そして、破断された板状部材２からＩＣモジュール部材３を剥離し易いように、感圧性接着剤は再剥離可能な接着剤であることが好ましい。
【００２６】
図３は、本発明の第２実施形態にかかるＩＣモジュール部材付き帳票の構成を概略的に示す図である。図３では、（ａ）〜（ｄ）の順にＩＣモジュール部材付き帳票の形成工程を示している。なお、図３において、第１実施形態の構成要素と同様の機能を有する要素には図１と同じ参照符号を付している。以下、第１実施形態との相違点に着目して、第２実施形態を説明する。
【００２７】
第２実施形態では、図３に示すように、帳票１の裏面１ｂに、取付け手段としての矩形状の板状部材１２が接着される。具体的には、板状部材１２の長手方向に沿った第１領域１２ａに比較的接着力の強い再剥離可能な接着剤が塗布され、第１領域１２ａを除く第２領域１２ｂに比較的接着力の弱い再剥離可能な接着剤が塗布されている。第２実施形態では、図３（ａ）に示すように、まず第１領域１２ａを介して板状部材１２を帳票１の裏面１ｂに部分的に接着させる。この場合、板状部材１２の接着位置が印字領域から実質的に間隔を隔てて位置決めされていることはいうまでもない。
【００２８】
次いで、図３（ｂ）に示すように、板状部材１２の第２領域１２ｂが対面すべき帳票１の裏面１ｂ上の領域に、ＩＣモジュール部材３を位置決めする。そして、図中の矢印Ｆに沿って板状部材１２の第２領域１２ｂを帳票１に向かって折りたたむことにより、板状部材１２の全体を帳票１の裏面１ｂに接着させる。さらに詳細には、板状部材１２の第２領域１２ｂの一部にはＩＣモジュール部材３が接着され、板状部材１２の第２領域１２ｂの残部および板状部材１２の第１領域１２ａは帳票１の裏面１ｂに接着された状態が得られる。
【００２９】
こうして、図３（ｃ）に示すように、第２実施形態のＩＣモジュール部材付き帳票が形成される。第２実施形態では、図３（ｄ）に示すように、帳票１を使い切った時点において、板状部材１２を帳票１から剥がし取り、剥がし取った板状部材１２からＩＣモジュール部材３を剥がし取る。この場合、帳票１から板状部材１２を剥がし易くするために、板状部材１２で覆われる帳票１の一角に面取り部１ｃを設けることが好ましい。こうして、第２実施形態においても、帳票１を使い切った時点において板状部材１２と帳票１との間に保持されていたＩＣモジュール部材３を再使用可能な状態で帳票１から容易に取り外すことができる。
【００３０】
図４は、本発明の第３実施形態にかかるＩＣモジュール部材付き帳票の構成を概略的に示す図である。図４では、（ａ）〜（ｅ）の順にＩＣモジュール部材付き帳票の形成工程を示している。なお、図４において、第１実施形態の構成要素と同様の機能を有する要素には図１と同じ参照符号を付している。以下、第１実施形態との相違点に着目して、第３実施形態を説明する。
【００３１】
第３実施形態では、図４に示すように、帳票１の裏面１ｂに、取付け手段としての矩形状の板状部材２２が接着されている。すなわち、板状部材２２は、その長手方向に沿った第１領域２２ａを介して帳票１の裏面１ｂに予め接着されている。そして、図４（ａ）に示すように、板状部材２２の第１領域２２ａを除く第２領域２２ｂには再剥離可能な接着剤が塗布され、第２領域２２ｂは剥離紙２２ｃによって覆われている。また、帳票１には、板状部材２２の第１領域２２ａ側の外縁部よりもわずかに外側に切断用ミシン目１ｄが形成されている。なお、第１実施形態および第２実施形態と同様に、板状部材２２の接着位置は印字領域から実質的に間隔を隔てて位置決めされている。
【００３２】
第３実施形態では、図４（ｂ）に示すように、まず第２領域２２ｂを覆っている剥離紙２２ｃを剥がし取る。次いで、図４（ｃ）に示すように、板状部材２２の第２領域２２ｂが対面すべき帳票１の裏面１ｂ上の領域に、ＩＣモジュール部材３を位置決めする。そして、図中の矢印Ｆに沿って板状部材２２の第２領域２２ｂを帳票１に向かって折りたたむことにより、板状部材２２の全体を帳票１の裏面１ｂに接着させる。さらに詳細には、板状部材２２の第２領域２２ｂの一部にはＩＣモジュール部材３が接着され、板状部材２２の第２領域２２ｂの残部および板状部材２２の第１領域２２ａは帳票１の裏面１ｂに接着された状態が得られる。
【００３３】
こうして、図４（ｄ）に示すように、第３実施形態のＩＣモジュール部材付き帳票が形成される。第２実施形態では、図４（ｅ）に示すように、帳票１を使い切った時点において、帳票１を切断用ミシン目１ｄに沿って破断することにより、板状部材２２およびＩＣモジュール部材３とともに帳票１の一部を帳票１の残部から切り離す。そして、切り離した帳票１の一部から板状部材２２を剥がし取り、剥がし取った板状部材２２からＩＣモジュール部材３を剥がし取る。この場合、帳票１の一部から板状部材２２を剥がし易くするために、板状部材２２の一角に面取り部２２ｄを設けることが好ましい。こうして、第３実施形態においても、帳票１を使い切った時点において板状部材２２と帳票１との間に保持されていたＩＣモジュール部材３を再使用可能な状態で帳票１から容易に取り外すことができる。
【００３４】
ところで、第２実施形態および第３実施形態では、板状部材１２，２２と帳票１との間に所定の厚さを有するＩＣモジュール部材３を保持している。このため、ＩＣモジュール部材３に対応する板状部材１２，２２または帳票１の部分が盛り上がって、ＩＣモジュール部材３が損傷を受け易くなることが考えられる。そこで、図５に示すように、ＩＣモジュール部材３を収容するための開口部５２が型抜きなどにより形成された緩衝部材５１を、板状部材１２，２２と帳票１との間に介在させることが好ましい。
【００３５】
なお、上述の各実施形態では、工場における作業指示書や工程管理カードに本発明を適用しているが、配送業において使用される配送指示書（配送伝票）や通信販売業で使用されるピッキングリストなどの他の使い切り帳票に本発明を適用することもできる。すなわち、本発明ではＩＣモジュール部材の回収が前提となっているので、特に限られたエリア内で使用する場合、すなわち帳票の終着地点が決まっている場合（工場における作業指示書の場合など）に好適である。また、帳票の終着地点が決まっていない場合であっても、ＩＣモジュール部材を回収することのできる要員が存在する場合（配送指示書の場合など）に好適である。
【００３６】
【発明の効果】
以上説明したように、本発明では、帳票を使い切った時点において取り付けられていたＩＣモジュール部材を再使用可能な状態で取り外して新たな帳票の形成のためにリサイクル使用することができる。その結果、たとえば工場における作業指示書や工程管理カードに本発明を適用すると、指示すべき作業情報が複雑化しても採算の合った十分な対応をすることができる。
【図面の簡単な説明】
【図１】本発明の第１実施形態にかかるＩＣモジュール部材付き帳票の構成を概略的に示す図である。
【図２】図１のＩＣモジュール部材の内部構成を示す拡大断面図である。
【図３】本発明の第２実施形態にかかるＩＣモジュール部材付き帳票の構成を概略的に示す図である。
【図４】本発明の第３実施形態にかかるＩＣモジュール部材付き帳票の構成を概略的に示す図である。
【図５】第２実施形態および第３実施形態に適用可能な緩衝部材について説明する図である。
【符号の説明】
１  帳票
１ａ  表面
１ｂ  裏面
１ｃ  面取り部
１ｄ  切断用ミシン目
２，１２，２２  板状部材
２ａ，２ｂ，２ｃ  接着領域
２ｅ，２ｆ  切断用ミシン目
２ｇ  把持部
３  ＩＣモジュール部材
３ａ  ＩＣモジュール
３ｂ  アンテナ
【図１】
0004408512.tif 000002
【図２】
0004408512.tif 000003
【図３】
0004408512.tif 000004
【図４】
0004408512.tif 000005
【図５】
0004408512.tif 000006